【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】
被写体像を撮像する撮像部と、
上記撮像部により撮像された画像を記録する記録部と、
上記撮像部により撮像された画像を表示する表示部と、
撮像装置本体に対して上記表示部を回動可能に支持するヒンジ部と、
上記ヒンジ部に内蔵され、上記表示部の開閉を検出する検出部と、
上記検出部の検出結果に応じて、上記表示部の画面のＯＮ−ＯＦＦを制御する制御部とを有する
ことを特徴とする撮像装置。
【請求項２】
上記ヒンジ部の内部を挿通して上記表示部と上記撮像装置本体内部の制御部との間を電気的に接続したハーネスと、
上記ヒンジ部に回転自在に取り付けられて上記ハーネスを外部から覆い、開閉される上記表示部で回転駆動されて上記検出部をＯＮ−ＯＦＦ操作するハーネスカバーとを備えた
ことを特徴とする請求項１に記載の撮像装置。
【請求項３】
上記ヒンジ部は、上記表示部を上記撮像装置本体に対して２軸方向に回動可能に支持する
ことを特徴とする請求項１に記載の撮像装置。
【請求項４】
上記撮像部により撮像された画像を表示する第２の表示部を更に備える
ことを特徴とする請求項１に記載の撮像装置。
【請求項５】
上記表示部の回動動作をロックするロック機構を更に備える
ことを特徴とする請求項１に記載の撮像装置。
【請求項６】
上記記録部は、上記撮像装置本体に対して着脱可能な記録媒体であり、
上記記録媒体を格納する記録媒体格納部の側面には、透明部材で覆われた窓穴が形成されている
ことを特徴とする請求項１に記載の撮像装置。
【手続補正３】
【補正対象書類名】明細書
【補正対象項目名】０００１
【補正方法】変更
【補正の内容】
【０００１】
【発明の属する技術分野】
本発明は、例えばビデオカメラレコーダ等に適用すのに最適な撮像装置であって、特に、モニター部の開閉検出スイッチの動作機構に関する技術分野に属するものである。
【手続補正４】
【補正対象書類名】明細書
【補正対象項目名】０００７
【補正方法】変更
【補正の内容】
【０００７】
本発明は、上記の問題を解決するためになされたものであって、モニター部開閉検出スイッチの動作機構の高信頼性や外観上の美観の向上等を実現することができる撮像装置を提供することを目的としている。
【手続補正５】
【補正対象書類名】明細書
【補正対象項目名】０００８
【補正方法】変更
【補正の内容】
【０００８】
【課題を解決するための手段】
上記の目的を達成するための本発明の撮像装置は、被写体像を撮像する撮像部と、上記撮像部により撮像された画像を記録する記録部と、上記撮像部により撮像された画像を表示する表示部と、撮像装置本体に対して上記表示部を回動可能に支持するヒンジ部と、
上記ヒンジ部に内蔵され、上記表示部の開閉を検出する検出部と、上記検出部の検出結果に応じて、上記表示部の画面のＯＮ−ＯＦＦを制御する制御部とを備えたものである。
【手続補正６】
【補正対象書類名】明細書
【補正対象項目名】０００９
【補正方法】変更
【補正の内容】
【０００９】
上記のように構成された本発明の撮像装置は、表示部の開閉をヒンジ部に内蔵された検出部で検出して表示部の画面のＯＮ−ＯＦＦを行うことができ、検出部は表示部の撮像装置本体に対するヒンジ部に隠蔽しておくことができる。
【手続補正７】
【補正対象書類名】明細書
【補正対象項目名】００１０
【補正方法】変更
【補正の内容】
【００１０】  
【発明の実施の形態】
以下、本発明を適用した撮像装置としてのビデオカメラレコーダの実施の形態を図１〜図１４を参照して以下の順序で説明する。
（１）・・・モニター部開閉検出スイッチの動作機構に関する説明
（２）・・・ビデオカメラレコーダ全体に関する説明
【手続補正８】
【補正対象書類名】明細書
【補正対象項目名】００１１
【補正方法】変更
【補正の内容】
【００１１】
（１）・・・モニター部開閉検出スイッチの動作機構に関する説明
まず、図１〜図６によって、ビデオカメラレコーダのモニター部開閉検出スイッチの動作機構に関して説明すると、後述するように、ビデオカメラレコーダ１のカメラ本体２の左側面２ｂに表示部としてのモニター部である液晶モニター部１０がヒンジ部としての２軸ヒンジ機構（直交する２軸を中心に２方向に回転可能なヒンジ機構）２５によって開閉自在に取り付けられている。
【手続補正９】
【補正対象書類名】明細書
【補正対象項目名】００１５
【補正方法】変更
【補正の内容】
【００１５】
そこで、このビデオカメラレコーダ１では、まず、液晶モニター部１０の矢印ｇ、ｈ方向の開閉を検出してモニター画面である液晶画面１０ａをＯＮＮ−ＯＦＦする検出部であるモニター部開閉検出スイッチ７７を２軸ヒンジ機構２５に内蔵し、次に、内部空間７６の内側開口７６ａを閉塞することによって、ハーネス７５を外部から見えないように隠蔽（目隠しすること）するようにした目隠し部材であるハーネスカバー７９でそのモニター部開閉検出スイッチ７７をＯＮ−ＯＦＦ動作させるように構成している。
【手続補正１０】
【補正対象書類名】明細書
【補正対象項目名】００１６
【補正方法】変更
【補正の内容】
【００１６】
即ち、モニター取付フレーム７１のカメラ本体２の左側面２ｂと平行なの垂直状の側面７１ａにモニター部開閉検出スイッチ７７をスイッチ取付部７８によって取り付けて、そのモニター部開閉検出スイッチ７７のアクチュエータ７７ａを内部空間７６内にそのその側面７１ａに対して直角状に突出させている。そして、モニター部開閉検出スイッチ７７のアクチュエータ７７ａの動作部材(制御部)を兼用する縦長のハーネスカバー７９をモニター取付フレーム７１の内部空間７６で、垂直状の内側開口７６ａを開閉できる位置に垂直状の支点ピン８０を介して水平方向である矢印ｕ、ｖ方向にほぼ９０°に回転自在に取り付けて、そのハーネスカバー７９を回転付勢手段である捩りコイルバネ８０でその内側開口７６ａの閉塞位置まで矢印ｖ方向へ回転付勢させている。
【手続補正１１】
【補正対象書類名】明細書
【補正対象項目名】００２１
【補正方法】変更
【補正の内容】
【００２１】
（２）・・・ビデオカメラレコーダ全体に関する説明
次に、図７〜図１４によって、このビデオカメラの一例であるビデオカメラレーダ１全体に関して説明すると、このビデオカメラレコーダ１は後述するカード型記録再生装置１４を内蔵した縦形のビデオカメラレコーダに構成されている。そして、このビデオカメラレコーダ１は合成樹脂等で成形された縦形のカメラ本体２を有していて、そのカメラ本体２内の上部にはレンズ３及び固体撮像素子（ＣＣＤ）を有する撮像部である撮影部４とビューファインダー部５とが前後に並べられてほぼ同一の光軸Ｐ１上に水平に配置されている。なお、撮影部４はレンズ３及び固体撮像素子によって撮影対象となる被写体を撮影して画像信号を生成するものであり、ビューファインダー部５は撮影部４で撮影された画像やのこビデオカメラレコーダ１の動作モード等を表示する液晶表示部に構成されている。そして、そのカメラ本体２内で撮影部４とビューファインダー部５の下部にメカデッキ部６が光軸Ｐ１と平行で垂直状に配置されていて、このメカデッキ部６には主記録媒体を構成しているテープ状記録媒体であるビデオカセット７内のビデオテープに画像データ等を記録、再生する記録部としての記録再生部が備えられている。そして、そのビデオカセット７を脱着するためのカセットカバー８がカメラ本体２の右側面（但し、ビデオカメラレコーダ１を後方から見た状態での右側面である）２ａに右横方向に開閉自在に取り付けられている。そのカセットカバー８は平面形状がほぼＬ型に形成されていて、そのカセットカバー８の右側面８ａ及び左側面８ｃがカメラ本体２の右側面２ａ及後面２ｃの一部に兼用されている。